(57)【要約】【課題】  従来の紙幣ホルダでは、紙幣差し入れ口から紙幣が落ちてしまったり、紙幣を紙幣ホルダに保持させるのに手間がかかる。【解決手段】  遊技者は、所有する紙幣４１を紙幣ホルダ４０に保持させる際、一方の板状部材４２の他端４２ｂにある折曲部分４２ｃを、バネ４７ａ，４７ｂの弾性力に抗して押し、挟持手段の一端４２ａ，４３ａを開放する。そして、この状態を保って、一方の板状部材４２の一端４２ａと他方の板状部材４３の一端４３ａとの間に紙幣４１を挿通し、バネ４７ａ，４７ｂの弾性力によって一方の板状部材４２の一端４２ａを他方の板状部材４３に押しつけることにより、紙幣４１を一対のローラ４５ａ，４５ｂ間に保持する。また、紙幣４１を挿通した方向と逆方向に引っ張ることにより、一対のローラ４５ａ，４５ｂ間から紙幣４１を抜き取ることが出来る。【選択図】  図２
2006197983.tif 000002
【特許請求の範囲】
【請求項１】
一端が開放する挟持手段と、前記一端に挿通される紙幣を挟持して挿通方向に紙幣を移動させる前記一端側に設けられた一対のローラと、前記一端が閉じる方向へ付勢して前記ローラに紙幣を一定の保持力で挟持させる付勢手段とを備えて構成される遊技機用の紙幣ホルダ。
【請求項２】
前記挟持手段は、一方の板状部材の他端側が他方の板状部材に回動自在に支持された一対の板状部材からなり、前記付勢手段は、前記一方の板状部材の一端を前記他方の板状部材に向けて押しつける弾性力を発揮するバネからなることを特徴とする請求項１に記載の遊技機用の紙幣ホルダ。
【請求項３】
前記他方の板状部材は、遊技機の表面を構成する板状部材であることを特徴とする請求項２に記載の遊技機用の紙幣ホルダ。
【請求項４】
前記一方の板状部材の他端側には、前記バネの弾性力に抗して前記一方の板状部材の一端を前記他方の板状部材から遠ざけて前記挟持手段の一端を開放させる折曲部分が形成されていることを特徴とする請求項２または請求項３に記載の遊技機用の紙幣ホルダ。
【発明の詳細な説明】
【技術分野】
【０００１】
本発明は、遊技機で遊技をするために必要となる紙幣を保持する遊技機用の紙幣ホルダに関するものである。
【背景技術】
【０００２】
従来、この種の遊技機用の紙幣ホルダとしては、例えば、特許文献１に開示されているものがある。この紙幣ホルダは、一定長さの金属帯板を、その遊技機への取付部となる切り離し基端側から切り離し先端側に向かって、約１周回分だけ渦巻き状に巻き曲げることによって形成されている。その巻き曲げ途中と切り離し先端側とのオーバーラップ部分は、互いに密着することなく一定の奥行きを持つ開口状態にあり、紙幣差し入れ口となる渦型室を形作っている。この紙幣差し入れ口から渦型室内へ差し入れた紙幣は、その自ずと巻き戻る復元張力によって渦型室の内周面へ仮止め保持される。
【特許文献１】特開２００４−１８７９６０号公報（段落［００１７］〜［００２４］参照）
【発明の開示】
【発明が解決しようとする課題】
【０００３】
しかしながら、上記従来の遊技機用の紙幣ホルダは、上述のように、紙幣の自ずと巻き戻る復元張力によって渦型室の内周面へ仮止め保持されている構成になっている。このため、しわくちゃになった紙幣や、湿気を帯びている紙幣、最初から丸められている紙幣などでは、その自ずと巻き戻る復元張力が生じなかったり弱いため、渦型室の内周面へこれら紙幣を仮止め保持することが出来ず、一定の奥行きを持つ開口状態にある紙幣差し入れ口から紙幣が落ちてしまう。また、紙幣を紙幣差し入れ口に差し入れる際には、紙幣の先端をきちんと揃える必要があり、紙幣を紙幣ホルダに保持させるのに手間がかかる。
【課題を解決するための手段】
【０００４】
本発明はこのような課題を解決するためになされたもので、一端が開放する挟持手段と、前記一端に挿通される紙幣を挟持して挿通方向に紙幣を移動させる前記一端側に設けられた一対のローラと、前記一端が閉じる方向へ付勢してローラに紙幣を一定の保持力で挟持させる付勢手段とを備えて、遊技機用の紙幣ホルダを構成した。
【０００５】
この構成によれば、付勢手段の付勢力に抗して挟持手段の一端を開放し、開放状態にある挟持手段の一端に紙幣を挿通して、付勢手段の付勢力によって挟持手段の一端を閉じることにより、紙幣は、一対のローラ間に挟持されて保持される。このため、紙幣がしわくちゃになっていたり、湿気を帯びていても、また、最初から丸められていても、紙幣は一対のローラ間に確実に挟持されて保持される。また、付勢手段の付勢力に抗して挟持手段の一端を開放して紙幣をローラ間に単に挿通させることにより、紙幣を紙幣ホルダに保持させることが出来る。このため、紙幣の先端をきちんと揃えるような手間はかからず、簡単に紙幣を紙幣ホルダに保持させることが可能である。
【０００６】
また、紙幣がローラ間に保持された状態で、紙幣を挿通した方向と逆方向に紙幣を引っ張ることによってローラが回転し、紙幣は、ローラに挟持されたままの状態で挟持手段の一端から抜き取られる。このため、紙幣を容易に紙幣ホルダから抜き取ることも可能である。
【０００７】
また、本発明において、挟持手段は、一方の板状部材の他端側が他方の板状部材に回動自在に支持された一対の板状部材からなり、付勢手段は、一方の板状部材の一端を他方の板状部材に向けて押しつける弾性力を発揮するバネからなることを特徴とする。
【０００８】
この構成によれば、バネの弾性力に抗して一方の板状部材の一端を他方の板状部材から離すことにより、挟持手段の一端が開放する。また、一方の板状部材の一端と他方の板状部材との間に紙幣を挿通して、バネの弾性力によって一方の板状部材の一端を他方の板状部材に押しつけることにより、紙幣は、一対のローラ間に挟持されて保持される。
【０００９】
また、本発明において、他方の板状部材は、遊技機の表面を構成する板状部材であることを特徴とする。
【００１０】
この構成によれば、遊技機の表面を構成する板状部材が、他方の板状部材を構成する。このため、遊技機の表面を構成する板状部材が他方の板状部材に兼用され、紙幣ホルダの構成部品点数が減って安価にかつ簡単に紙幣ホルダを製作することが可能となる。
【００１１】
また、本発明において、一方の板状部材の他端側には、バネの弾性力に抗して一方の板状部材の一端を他方の板状部材から遠ざけて挟持手段の一端を開放させる折曲部分が形成されていることを特徴とする。
【００１２】
この構成によれば、一方の板状部材の他端側にある折曲部分をバネの弾性力に抗して移動させることにより、簡単に、挟持手段の一端を開放させることが出来る。
【発明の効果】
【００１３】
本発明によれば、上記のように、紙幣はその状態にかかわらず一対のローラ間に確実に挟持されて保持される。また、簡単に紙幣を紙幣ホルダに保持させることが可能であり、また、容易に紙幣ホルダから抜き取ることも可能である。
【発明を実施するための最良の形態】
【００１４】
次に、本発明を実施するための最良の形態について説明する。
【００１５】
図１は、本実施形態によるパチスロ機１の外観を示す正面図である。
【００１６】
パチスロ機１の前面扉の正面中央部には、３個のリール２，３，４が回転自在に設けられている。各リール２〜４の外周面には複数種類の図柄（以下、シンボルという）から成るシンボル列が描かれている。これらのシンボルはパチスロ機１の正面の表示窓５，６，７を通してそれぞれ３個ずつ観察される。この表示窓５〜７には、横３本と斜め２本の計５本の入賞ラインＬ１，Ｌ２Ａ，Ｌ２Ｂ，Ｌ３Ａ，Ｌ３Ｂが設けられている。表示窓５〜７の下方右側には、遊技媒体であるメダルが投入されるメダル投入口８が設けられている。
【００１７】
ゲーム開始に先立って、遊技者がメダル投入口８から１枚のメダルを投入したときは、中央の横１本の入賞ラインＬ１が有効化される。また、２枚投入したときは、これに上下の横２本の入賞ラインＬ２Ａ，Ｌ２Ｂが加わって横３本の入賞ラインＬ１，Ｌ２Ａ，Ｌ２Ｂが有効化される。また、３枚投入したときは、これに斜め２本の入賞ラインＬ３Ａ，Ｌ３Ｂが加わって５本の入賞ラインＬ１，Ｌ２Ａ，Ｌ２Ｂ，Ｌ３Ａ，Ｌ３Ｂの全てが有効化される。
【００１８】
また、表示窓５〜７の左方には、遊技動作表示器９〜１２、ＢＥＴランプ１３〜１５、貯留枚数表示部１６、およびスタートランプ１７が設けられている。各表示器９〜１２およびＢＥＴランプ１３〜１５は状況に応じて点灯制御され、その時の遊技状況が遊技者に知らされる。貯留枚数表示部１６は、３桁の７セグメントＬＥＤ（発光ダイオード）からなり、パチスロ機１本体内部のメダルカウンタに現在クレジットされているメダル数を表示する。スタートランプ１７は各リール２〜４が作動可能な時に点滅する。
【００１９】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム作動時に、ＲＢゲーム時の残り入賞可能回数などをデジタル表示する。ＷＩＮランプ１９は有効化入賞ラインにボーナスの作動に対応するシンボルが揃った時などに点灯する。配当枚数表示部２０は、３桁の７セグメントＬＥＤからなり、入賞によるメダル払い出し枚数を表示する。インサートランプ２１はメダル投入口８にメダルの投入が受付可能な時に点灯する。
【００２０】
また、表示窓５〜７の直ぐ下方には、液晶表示装置２２が設けられている。液晶表示装置２２の左側には十字キー２３、「○」ボタン２４、「×」ボタン２５、１貯留メダル投入ボタン２６、２貯留メダル投入ボタン２７、および３貯留メダル投入ボタン２８が設けられている。十字キー２３は、上下左右の４方向のスイッチ操作を検出して、液晶表示装置２２に表示される情報項目を選択する際に使用される。「○」ボタン２４は十字キー２３によって選択された情報項目を決定するボタンであり、「×」ボタン２５は十字キー２３によって選択された情報項目をキャンセルするボタンである。また、貯留メダル投入ボタン２６〜２８は、貯留枚数表示部１６にメダル数が表示されてクレジットされている際に、メダル投入口８へのメダル投入に代えて１回のゲームに１〜３枚のメダルを賭ける際に使用される。
【００２１】
また、液晶表示装置２２の下方には、左側から、貯留メダル精算ボタン２９、スタートレバー３０および停止ボタン３１〜３３が設けられている。貯留メダル精算ボタン２９は機械内部にクレジットされているメダルを精算する際に使用される。スタートレバー３０が遊技者に操作されることにより各リール２〜４の回転が一斉に開始する。停止ボタン３１〜３３は、各リール２〜４に対応して配置されており、これら各リール２〜４の回転が一定速度に達したときに操作が有効化され、遊技者の操作に応じて各リール２〜４の回転を停止させる。
【００２２】
また、停止ボタン３１〜３３の下方の腰部パネル３９の右肩部には、遊技者が所有する紙幣４１を一時的に保持する遊技機用の紙幣ホルダ４０が取り付けられている。遊技者は、パチスロ機１で遊技を続行するために必要となるメダルを購入する際、紙幣ホルダ４０から速やかに紙幣４１を取り出すことが出来る。
【００２３】
また、パチスロ機１の前面扉の下部には、メダルが払い出されるメダル払出口３８、およびメダル払出口３８から払い出されたメダルを貯留するメダル受け皿３７が設けられている。メダル受け皿３７の左側方には灰皿３６が設けられている。また、パチスロ機１の正面上部には、入賞に対してどれだけのメダルが払い出されるかを示す配当表示部３９が設けられており、この配当表示部３９の左右には一対のスピーカ９６，９６が設けられている。
【００２４】
図２（ａ）は、上記の紙幣ホルダ４０を長手方向に沿って破断した縦断面図であり、同図（ｂ）は紙幣ホルダ４０の平面図である。
【００２５】
紙幣ホルダ４０は、一方の板状部材４２の他端４２ｂ側が、他方の板状部材４３に軸４４によって回動自在に支持された一対の板状部材４２，４３からなる。軸４４は、下方の板状部材４３の他端４３ｂ側の両側に形成された一対のフランジ４３ｃ，４３ｃにより、支持されている。板状部材４２，４３はその一端４２ａ，４３ａが開放する挟持手段を構成しており、これら一端４２ａ，４３ａ側には一対のローラ４５ａ，４５ｂが設けられている。ローラ４５ａ，４５ｂは、それぞれ軸４６ａ，４６ｂによって支持されており、挟持手段の一端４２ａ，４３ａに挿通される紙幣４１を挟持して、同図で矢示する挿通方向Ａに紙幣４１を移動させる。また、一対のバネ４７ａ，４７ｂは、一方の板状部材４２の一端４２ａを他方の板状部材４３の一端４３ａに向けて押しつける弾性力を発揮する。これらバネ４７ａ，４７ｂは、挟持手段の一端４２ａ，４３ａが閉じる方向へ付勢して、ローラ４５ａ，４５ｂに紙幣４１を一定の保持力で挟持させる付勢手段を構成している。
【００２６】
また、一方の板状部材４２の他端４２ｂ側には、バネ４７ａ，４７ｂの弾性力に抗して一方の板状部材４２の一端４２ａを他方の板状部材４３から遠ざけて、挟持手段の一端４２ａ，４３ａを開放させる折曲部分４２ｃが形成されている。
【００２７】
このような構成において、遊技者は、所有する紙幣４１を紙幣ホルダ４０に一時的に保持させる際、まず、一方の板状部材４２の他端４２ｂにある折曲部分４２ｃを、バネ４７ａ，４７ｂの弾性力に抗して、腰部パネル３９の表面に向けて押す。この押す操作により、他端４２ｂが他端４３ｂに近づくように移動し、一方の板状部材４２の一端４２ａが他方の板状部材４３から離れて、挟持手段の一端４２ａ，４３ａが開放する。そして、挟持手段の一端４２ａ，４３ａが開放した状態を保って、一方の板状部材４２の一端４２ａと他方の板状部材４３の一端４３ａとの間に紙幣４１を挿通し、バネ４７ａ，４７ｂの弾性力によって一方の板状部材４２の一端４２ａを他方の板状部材４３の一端４３ａに押しつけることにより、紙幣４１は、一対のローラ４５ａ，４５ｂ間に挟持されて保持される。
【００２８】
遊技者は、手持ちのメダルが無くなってメダルを購入する場合、紙幣４１を挿通した方向と逆方向に引っ張ることにより、一対のローラ４５ａ，４５ｂ間から紙幣４１を抜き取ることが出来る。この際、ローラ４５ａ，４５ｂが紙幣４１の移動に伴う摩擦力によって回転する。また、折曲部分４２ｃを、バネ４７ａ，４７ｂの弾性力に抗して腰部パネル３９の表面に向けて押し、挟持手段の一端４２ａ，４３ａを開放することによっても、ローラ４５ａ，４５ｂ間から紙幣４１を抜き取ることが出来る。
【００２９】
このような本実施形態による遊技機の紙幣ホルダ４０によれば、上述したように、バネ４７ａ，４７ｂの弾性力に抗して挟持手段の一端４２ａ，４３ａを開放し、開放状態にある挟持手段の一端４２ａ，４３ａに紙幣４１を挿通して、バネ４７ａ，４７ｂの弾性力によって挟持手段の一端４２ａ，４３ａを閉じることにより、紙幣４１は、一対のローラ４５ａ，４５ｂ間に挟持されて保持される。このため、紙幣４１がしわくちゃになっていたり、湿気を帯びていても、また、最初から丸められていても、紙幣４１は一対のローラ４５ａ，４５ｂ間に確実に挟持されて保持される。また、バネ４７ａ，４７ｂの弾性力に抗して挟持手段の一端４２ａ，４３ａを開放して紙幣４１をローラ４５ａ，４５ｂ間に単に挿通させることにより、紙幣４１を紙幣ホルダ４０に保持させることが出来る。このため、紙幣４１の先端をきちんと揃えるような手間はかからず、簡単に紙幣４１を紙幣ホルダ４０に保持させることが可能である。
【００３０】
また、紙幣４１がローラ４５ａ，４５ｂ間に保持された状態で、紙幣４１を挿通した方向と逆方向に紙幣を引っ張ることによってローラ４５ａ，４５ｂが回転し、紙幣４１は、ローラ４５ａ，４５ｂに挟持されたままの状態で挟持手段の一端４２ａ，４３ａから抜き取られる。このため、紙幣４１を容易に紙幣ホルダ４０から抜き取ることも可能である。
【００３１】
また、本実施形態では、一方の板状部材４２の他端４２ｂに折曲部分４２ｃが形成されているため、折曲部分４２ｃをバネ４７ａ，４７ｂの弾性力に抗して押すことにより、簡単に、挟持手段の一端４２ａ，４３ａを開放させることが出来る。
【００３２】
なお、上記実施形態においては、一対の板状部材４２，４３によって挟持手段を構成する場合について説明したが、他方の板状部材４３は、パチスロ機１の表面を構成する板状部材、例えば、腰部パネル３９のパネル面を構成するパネル面材によって構成することも可能である。この場合、パネル面材に開口部を設け、この開口部に図２に示す軸４６ｂを設けてローラ４５ｂを装着する。
【００３３】
この構成によれば、パチスロ機１の表面を構成するパネル面材が、他方の板状部材４３を構成する。このため、パチスロ機１の表面を構成するパネル面材が他方の板状部材４３に兼用され、紙幣ホルダ４０の構成部品点数が減って安価にかつ簡単に紙幣ホルダ４０を製作することが可能となる。
【産業上の利用可能性】
【００３４】
上記の実施形態においては、本発明による遊技機をパチスロ機１に適用した場合について説明したが、メダルといった遊技媒体を購入して遊技を行う他の遊技機に本発明を適用することも可能である。このような遊技機に本発明を適用した場合においても、上記の実施形態と同様な作用効果が奏される。
【図面の簡単な説明】
【００３５】
【図１】本発明の一実施形態によるパチスロ機の外観を示す正面図である。
【図２】図１に示すパチスロ機の腰部パネルに取り付けられた遊技機用の紙幣ホルダ４０の縦断面および平面を示す図である。
【符号の説明】
【００３６】
１…パチスロ機
３９…腰部パネル
４０…紙幣ホルダ
４１…紙幣
４２…一方の板状部材
４２ａ…一方の板状部材４２の一端
４２ｂ…一方の板状部材４２の他端
４２ｃ…折曲部分
４３…他方の板状部材
４３ａ…他方の板状部材４３の一端
４３ｂ…他方の板状部材４３の他端
４３ｃ…フランジ
４４，４６ａ，４６ｂ…軸
４５ａ，４５ｂ…ローラ
４７ａ，４７ｂ…バネ
【図１】
2006197983.tif 000003
【図２】
2006197983.tif 000004